(57)【特許請求の範囲】
【請求項１】
複数の照明器具をそれぞれオン・オフ制御するための複数のオン・オフスイッチと、前記オン・オフスイッチへの入力を検知すると照明器具をオン・オフ制御するためのオン・オフ信号を出力する制御部とを備える照明制御操作装置において、照明器具をオン・オフ制御するオン・オフ制御モードから照明器具の調光レベルを設定する調光設定モードへの切り換え、および前記調光設定モードから前記オン・オフ制御モードへの切り換えを行うための制御モード切換スイッチと、前記オン・オフスイッチに対応してそれぞれ別個に設けられたオン表示部及びオフ表示部と、照明器具の調光レベルを前記オン表示部または前記オフ表示部の点灯パターンと対応づけた第１のデータ変換テーブルと照明器具の調光レベルを前記オン・オフスイッチと対応付けた第２のデータ変換テーブルを記憶しておくためのメモリとを設け、前記制御部は、オン・オフ制御モードの場合に前記オン・オフスイッチへの入力を検知すると、当該オン・オフスイッチに対応する照明器具をオン・オフ制御するための前記オン・オフ信号を出力するとともに当該照明器具の点灯状態に応じて前記オン表示部及びオフ表示部を点灯させ、調光設定モードの場合に前記オン・オフスイッチへの入力を検知すると、当該オン・オフスイッチに対応する前記オン表示部または前記オフ表示部の一方を点灯させるとともに前記オン表示部または前記オフ表示部の他方側を前記第１のデータ変換テーブルにより当該オン・オフスイッチに対応する照明器具の調光レベルと対応づけられた点灯パターンで点灯させて調光対象の照明器具を選択し、調光対象の照明器具が選択された状態で前記オン・オフスイッチへの入力を検知すると、選択された照明器具を前記第２のデータ変換テーブルにより当該オン・オフスイッチと対応づけられた調光レベルに設定するための調光信号を出力することを特徴とする照明制御操作装置。
【請求項２】
前記制御部は、オン・オフ制御モードの場合に制御モード切換スイッチへの入力を検知すると、調光設定モードに移ってタイムカウントを開始し、このタイムカウントが所定時間を経過するまでに、前記オン・オフスイッチへの入力を検知しなければ、調光設定モードからオン・オフ制御モードに復帰するものであることを特徴とする請求項１記載の照明制御操作装置。
【発明の詳細な説明】
【０００１】
【発明の属する技術分野】
本発明は、複数の照明器具をオン・オフ（点滅）させるためのオン・オフ用スイッチ、または複数の照明器具を調光させるための調光用スイッチ等の、照明制御操作装置に関する。
【０００２】
【従来の技術】
図１３乃至図１５は、従来の照明制御操作装置およびこれを使用した照明制御システムを示すものである。図１３は、従来の照明制御操作装置を示すブロック図である。図１４は、従来の照明制御操作装置を使用した照明制御システムを示すブロック図である。図１５は、従来の照明制御操作装置を用いて行われる照明器具のオン・オフ制御および調光レベル設定の手順を示す模式図で、(a) は照明器具のオン・オフ制御を、(b) は照明器具の選択を、(c) は選択した照明器具の調光レベル設定をそれぞれ示している。
【０００３】
照明制御操作装置１００は、照明器具２００をオン・オフ制御および調光レベル制御するための操作部であって、オン・オフ用スイッチユニット１１０と、調光用スイッチユニット１２０と、制御部１３０と、通信インターフェース部１４０とを備えて構成されている。
【０００４】
オン・オフ用スイッチユニット１１０は、１台の照明器具２００に対して、１つのオン・オフスイッチ１１１と、１つのオン表示ＬＥＤ１１２および１つのオフ表示ＬＥＤ１１３とを備えて構成される壁取り付け型のものである。
【０００５】
調光用スイッチユニット１２０は、１台の照明器具２００に対して、１つの調光オン・オフスイッチ１２１と、１つの調光オン表示ＬＥＤ１２２と、１つの調光オフ表示ＬＥＤ１２３と、１つの減光スイッチ１２４と１つの増光スイッチ１２５からなる調光レベル設定スイッチと、複数の調光レベル表示ＬＥＤ１２６とを備えて構成される壁取り付け型のものである。
【０００６】
なお、このようなオン・オフ用スイッチユニット１１０および調光用スイッチユニット１２０における、操作者が照明制御操作装置１００を操作するための部品点数を、算出してみる。照明器具２００の台数をｎ台とし、照明器具２００の調光設定レベルをｍ段階とする。
【０００７】
オン・オフ用スイッチユニット１１０においては、オン・オフスイッチ１１１がｎ個、オン表示ＬＥＤ１１２がｎ個、オフ表示ＬＥＤ１１３がｎ個、それぞれ必要である。従って、オン・オフ用スイッチユニット１１０においては、操作者が操作するための部品点数は、３ｎとなる。
【０００８】
また、調光用スイッチユニット１２０は、ｎ台必要であり、調光オン・オフスイッチ１２１がｎ個、減光スイッチ１２４がｎ個、増光スイッチ１２５がｎ個、調光レベル表示ＬＥＤ１２６がｍ・ｎ個、それぞれ必要である。従って、調光用スイッチユニット１２０においては、操作者が操作するための部品点数は、（３ｎ＋ｍｎ）個となる。
【０００９】
従って、オン・オフ用スイッチユニット１１０および調光用スイッチユニット１２０における、操作者が照明制御操作装置１００を操作するための部品点数は、次の（式１）で示される個数だけ、必要になる。
【００１０】
３ｎ＋（３ｎ＋ｍｎ）＝６ｎ＋ｍｎ（個）・・・・（式１）
制御部１３０は、オン・オフ用スイッチユニット１１０と、調光用スイッチユニット１２０および通信インターフェース部１４０とに接続している。制御部１３０は、操作者がオン・オフ用スイッチユニット１１０のオン・オフスイッチ１１１への入力を行うと、その入力を検知して、照明器具２００をオン・オフ制御するためのオン・オフ信号を通信インターフェース部１４０へ出力する。また、制御部１３０は、操作者が調光用スイッチユニット１２０の調光オン・オフスイッチ１２１への入力を行うと、その入力を検知して、照明器具２００の調光レベルを設定するための調光信号を通信インターフェース部１４０へ出力する。
【００１１】
このような照明制御操作装置１００は、図１４に示すように、照明器具２００と、照明制御盤３００と、電源４００とを備えて構成される照明制御システムにおける操作部として使用される。
【００１２】
照明制御盤３００は、リレー端末器３１０と、調光端末器３２０とを備えて構成されている。照明制御操作装置１００は、リレー端末器３１０と、調光端末器３２０とに接続されており、リレー端末器３１０と、調光端末器３２０とをそれぞれ介して、同一の照明器具２００に接続されている。また、照明器具２００は、リレー端末器３１０の接点リレーを介して、電源４００に接続されている。
【００１３】
照明制御操作装置１００は、オン・オフスイッチ１１１がオンになると、通信インターフェース部１４０を介して、リレー端末器３１０のリレーをオンにする制御を行い、電源４００から照明器具２００へ電源を供給する。照明制御操作装置１００は、オン・オフスイッチ１１１がオンである場合に調光オン・オフスイッチ１２１がオンになると、通信インターフェース部１４０を介して調光端末器３２０を制御し、減光スイッチ１２４および増光スイッチ１２５への入力レベルに応じて照明器具２００の調光レベルを制御する。
【００１４】
このような照明制御操作装置１００を用いて行われる照明器具２００のオン・オフ制御および調光レベル設定の手順を、図１５を用いて以下に説明する。図１５に示すように、照明器具２００は、計４台であるとする。
【００１５】
オン・オフ用スイッチユニット１１０には、オン・オフスイッチ１１１が照明器具２００の台数と同じく４つ用意されており、各オン・オフスイッチ１１１に対応して１つのオン表示ＬＥＤ１１２および１つのオフ表示ＬＥＤ１１３とが備えられている。また、調光用スイッチユニット１２０は、各照明器具２００に対応して１つずつ用意されており、合計で照明器具２００の台数と同じく４つ用意されている。各調光用スイッチユニット１２０には、１つの調光オン・オフスイッチ１２１と、１つの調光オン表示ＬＥＤ１２２と、１つの調光オフ表示ＬＥＤ１２３と、１つの減光スイッチ１２４と、１つの増光スイッチ１２５および５つの調光レベル表示ＬＥＤ１２６とが備えられている。
【００１６】
図１５(a) に示すように、照明器具２００を点灯または消灯に関しては、操作者は、１つのオン・オフスイッチ１１１を押す毎に、押したオン・オフスイッチ１１１に対応する照明器具２００を点灯または消灯させることができる。照明器具２００は、操作者からのオン・オフスイッチ１１１への操作入力に応じてリレー端末器３１０によりオンオフされる。
このとき、照明器具２００が点灯状態になったならば、オン表示ＬＥＤ１１２が点灯し、または、照明器具２００が消灯状態になったならば、オフ表示ＬＥＤ１１３が点灯する。
【００１７】
操作者は、照明器具２００の調光レベルを変えたいときには、まず、オン・オフスイッチ１１１を押して所望の照明器具２００を点灯させておく。次に、図１５(b) に示すように、操作者は、選択した照明器具２００に対応する調光用スイッチユニット１２０の調光オン・オフスイッチ１２１を押して、照明制御操作装置１００を、調光レベル設定モード、すなわち調光レベルを設定する操作モードに移行する。このとき、調光レベル設定モードになったならば、調光オン表示ＬＥＤ１２２が点灯して、調光レベル設定モードであることがわかる。引き続き、操作者は、同じ調光用スイッチユニット１２０の減光スイッチ１２４または増光スイッチ１２５を押すことにより、調光レベルの設定を行う。このとき、操作者は、照明器具２００を目視するのみならず、５つの調光レベル表示ＬＥＤの点灯ＬＥＤの個数によっても、照明器具２００の現在の調光レベルを知ることができる。照明器具２００は、操作者からの減光スイッチ１２４または増光スイッチ１２５への操作入力に応じて調光端末器３２０により調光される。
【００１８】
操作者は、所望の調光レベルで照明器具２００を点灯した後、最後に、図１５(c) に示すように、調光オン・オフスイッチ１２１を押すことによって、調光レベル設定モードを終了する。このとき、調光用スイッチユニット１２０は、調光オン表示ＬＥＤ１２２が消灯すると共に、調光オフ表示ＬＥＤ１２３が点灯して、操作者は、調光レベル設定モードが解除されたことが目視確認できる。
【００１９】
【発明が解決しようとする課題】
しかしながら、上述のような従来の照明制御操作装置においては、照明制御操作装置１００は、オン・オフ用スイッチユニット１１０と、調光用スイッチユニット１２０との２種類のスイッチユニットが必要であり、照明器具２００の台数が増えると、調光用スイッチユニット１２０の台数が増えてしまい、操作者が照明制御操作装置１００を操作するための操作用スイッチやＬＥＤなどの状態表示用の部品点数が、減光スイッチ１２４と、増光スイッチ１２５および調光レベル表示ＬＥＤの分だけ増えてしまうという問題点があった。
【００２０】
本発明は、上述のような問題点を解決するためになされたもので、その目的とするところは、操作者が照明制御操作装置を操作するための部品点数を削減した照明制御操作装置を提供することにある。
【００２１】
【課題を解決するための手段】
本発明は上記の問題点を解決するため、請求項１記載の発明にあっては、複数の照明器具をそれぞれオン・オフ制御するための複数のオン・オフスイッチと、前記オン・オフスイッチへの入力を検知すると照明器具をオン・オフ制御するためのオン・オフ信号を出力する制御部とを備える照明制御操作装置において、照明器具をオン・オフ制御するオン・オフ制御モードから照明器具の調光レベルを設定する調光設定モードへの切り換え、および前記調光設定モードから前記オン・オフ制御モードへの切り換えを行うための制御モード切換スイッチと、前記オン・オフスイッチに対応してそれぞれ別個に設けられたオン表示部及びオフ表示部と、照明器具の調光レベルを前記オン表示部または前記オフ表示部の点灯パターンと対応づけた第１のデータ変換テーブルと照明器具の調光レベルを前記オン・オフスイッチと対応付けた第２のデータ変換テーブルを記憶しておくためのメモリとを設け、前記制御部は、オン・オフ制御モードの場合に前記オン・オフスイッチへの入力を検知すると、当該オン・オフスイッチに対応する照明器具をオン・オフ制御するための前記オン・オフ信号を出力するとともに当該照明器具の点灯状態に応じて前記オン表示部及びオフ表示部を点灯させ、調光設定モードの場合に前記オン・オフスイッチへの入力を検知すると、当該オン・オフスイッチに対応する前記オン表示部または前記オフ表示部の一方を点灯させるとともに前記オン表示部または前記オフ表示部の他方側を前記第１のデータ変換テーブルにより当該オン・オフスイッチに対応する照明器具の調光レベルと対応づけられた点灯パターンで点灯させて調光対象の照明器具を選択し、調光対象の照明器具が選択された状態で前記オン・オフスイッチへの入力を検知すると、選択された照明器具を前記第２のデータ変換テーブルにより当該オン・オフスイッチと対応づけられた調光レベルに設定するための調光信号を出力することを特徴とする。
【００２２】
請求項２記載の発明にあっては、請求項１記載の照明制御操作装置において、前記制御部は、オン・オフ制御モードの場合に制御モード切換スイッチへの入力を検知すると、調光設定モードに移ってタイムカウントを開始し、このタイムカウントが所定時間を経過するまでに、前記オン・オフスイッチへの入力を検知しなければ、調光設定モードからオン・オフ制御モードに復帰するものであることを特徴とする。
【００２３】
【発明の実施の形態】
以下、本発明に係る照明制御操作装置の第１の実施の形態を図１乃至図７に基づいて、第２の実施の形態を図８乃至図１２に基づいて、それぞれ詳細に説明する。
【００２４】
［第１の実施の形態］
図１は照明制御操作装置を示すブロック図である。図２は照明制御操作装置を使用した照明制御システムを示すブロック図である。図３は照明制御操作装置のメモリにおける各種データ変換テーブルを示すもので、(a) はオン表示ＬＥＤと調光レベルデータとの対応を示す説明図を、(b) はオン・オフスイッチと調光レベルデータとの対応を示す説明図をそれぞれ示している。図４および図５は、照明制御操作装置を用いて行われる照明器具のオン・オフ制御および調光レベル設定の手順を示す模式図で、図４(a) は照明器具のオン・オフ制御を、図４(b) は照明器具の調光レベル設定開始を、図４(c) は照明器具の選択を、図５(a) は選択した照明器具の調光レベル制御の設定を、図５(b) は調光レベル制御の設定の終了をそれぞれ示している。図６および図７は、制御部の動作フローの一例を示す説明図である。
【００２５】
照明制御操作装置１００は、照明器具２００をオン・オフ制御および調光レベル制御するための操作部であって、図１に示すように、制御部１３０と、通信インターフェース部１４０と、スイッチユニット１５０およびメモリ１６０とを備えて構成されている。
【００２６】
スイッチユニット１５０は、１つの照明制御操作装置１００の操作用スイッチ全てが集約されて設けられたものであり、１台の照明器具２００に対して、１つのオン・オフスイッチ１１１と、１つのオン表示ＬＥＤ１１２および１つのオフ表示ＬＥＤ１１３とを備えて構成される。また、スイッチユニット１５０は、１つの調光オン・オフスイッチ１２１を備え、オン・オフスイッチ１１１と、調光オン・オフスイッチ１２１とは、全て制御部１３０に接続されており、制御部１３０によって入力状態を読み取られる。また、オン表示ＬＥＤ１１２と、オフ表示ＬＥＤ１１３とは、全て制御部１３０に接続されており、制御部１３０によって点灯および消灯の各状態を制御される。
【００２７】
なお、このようなスイッチユニット１５０における、操作者が照明制御操作装置１００を操作するための部品点数を、算出してみる。照明器具２００の台数をｎ台とし、照明器具２００の調光設定レベルをｍ段階とする。
【００２８】
オン・オフスイッチ１１１は照明器具２００の台数と同じくｎ個必要であり、オン表示ＬＥＤ１１２はオン・オフスイッチ１１１の個数と同じくｎ個、オフ表示ＬＥＤ１１３もオン・オフスイッチ１１１の個数と同じくｎ個、それぞれ必要であり、さらに、調光オン・オフスイッチ１２１が１個必要である。従って、スイッチユニット１５０における、操作者が照明制御操作装置１００を操作するための部品点数は、次の（式２）で示される個数だけ、必要になる。
【００２９】
ｎ＋ｎ＋ｎ＋１＝３ｎ＋１（個）・・・・（式２）
この照明制御操作装置１００は、調光オン・オフスイッチ１２１が押される度に、オン・オフ制御モード（照明器具２００の点灯または消灯を行う操作モード）から調光レベル設定モード（照明器具２００の調光レベルを設定する操作モード）へ、または調光レベル設定モードからオン・オフ制御モードへ、照明器具２００の制御モードを切り換える。オン・オフスイッチ１１１は、オン・オフ制御モードにおいては、照明器具２００のオン・オフ制御を行うためのスイッチであるが、調光レベル設定モードにおいては、以下に説明するように、照明器具２００を選択するためのスイッチおよび照明器具２００の調光レベルを設定するためのスイッチとして機能する。さらに、オン表示ＬＥＤ１１２およびオフ表示ＬＥＤ１１３も、オン・オフ制御モードと調光レベル設定モードとの各制御モードにおいては、点灯表示によって表す対象の意味が変わる。すなわち、オン表示ＬＥＤ１１２およびオフ表示ＬＥＤ１１３は、オン・オフ制御モードにおいては、オン・オフスイッチ１１１が押される度に、オン表示ＬＥＤ１１２またはオフ表示ＬＥＤ１１３のどちらか一方が点灯し、残りの一方が消灯するものである。ところが、オン表示ＬＥＤ１１２およびオフ表示ＬＥＤ１１３は、調光レベル設定モードにおいては、オン表示ＬＥＤ１１２は、オン・オフスイッチ１１１で選択した照明器具２００の調光設定レベルを表示する役割を与えられ、オフ表示ＬＥＤ１１３は、オン・オフスイッチ１１１で選択した照明器具２００を表す役割を与えられる。つまり、調光オン・オフスイッチ１２１は、オン・オフ制御モードから調光設定モードへの切り換え、および調光設定モードからオン・オフ制御モードへの切り換えを行うための制御モード切換スイッチ１１４として機能する。
【００３０】
制御部１３０は、通信インターフェース部１４０と、スイッチユニット１５０およびメモリ１６０とに接続している。制御部１３０は、操作者がスイッチユニット１５０のオン・オフスイッチ１１１への入力を行うと、その入力を検知して、照明器具２００をオン・オフ制御するためのオン・オフ信号、または照明器具２００の調光レベルを設定するための調光信号を通信インターフェース部１４０へ出力する。また、制御部１３０は、オン・オフ制御モードの場合に制御モード切換スイッチ１１４への入力を検知すると、調光設定モードに移って所定時間Ｔのタイムカウントを開始し、このタイムカウントが所定時間Ｔを経過するまでに、オン・オフスイッチ１１１への入力を検知しなければ、調光設定モードからオン・オフ制御モードに復帰する。
【００３１】
メモリ１６０は、照明器具２００の調光レベルをオン・オフスイッチ１１１と対応付けて記憶しておくためのメモリであって、図３(a) に示すように、調光レベルデータと、オン表示ＬＥＤ１１２の点灯個数とを対応付けるためのデータ変換テーブルＡを記憶している。また、メモリ１６０は、図３(b) に示すように、調光レベルデータと、オン・オフスイッチ１１１とを対応付けるためのデータ変換テーブルＢを記憶している。
【００３２】
このような照明制御操作装置１００は、図３に示すように、照明器具２００と、照明制御盤３００と、電源４００とを備えて構成される照明制御システムにおける操作部として使用される。
【００３３】
照明制御盤３００は、リレー端末器３１０と、調光端末器３２０とを備えて構成されている。照明制御操作装置１００は、リレー端末器３１０と、調光端末器３２０とに接続されており、リレー端末器３１０と、調光端末器３２０とをそれぞれ介して、同一の照明器具２００に接続されている。また、照明器具２００は、リレー端末器３１０の接点リレーを介して、電源４００に接続されている。
【００３４】
照明制御操作装置１００は、オン・オフスイッチ１１１がオンになると、通信インターフェース部１４０を介して、リレー端末器３１０のリレーをオンにする制御を行い、電源４００から照明器具２００へ電源を供給する。照明制御操作装置１００は、オン・オフスイッチ１１１がオンである場合に調光オン・オフスイッチ１２１がオンになると、通信インターフェース部１４０を介して調光端末器３２０を制御し、減光スイッチ１２４および増光スイッチ１２５への入力レベルに応じて照明器具２００の調光レベルを制御する。
【００３５】
このような照明制御操作装置１００を用いて行われる照明器具２００のオン・オフ制御および調光レベル設定の手順を、図４乃至図７を用いて以下に説明する。図４または図５に示すように、照明器具２００は、計４台であるとする。
【００３６】
スイッチユニット１５０には、オン・オフスイッチ１１１が照明器具２００の台数と同じく４つ用意されており、各オン・オフスイッチ１１１に対応して１つのオン表示ＬＥＤ１１２および１つのオフ表示ＬＥＤ１１３とが備えられている。また、スイッチユニット１５０には、１つの調光オン・オフスイッチ１２１が備えられている。
【００３７】
図４(a) に示すように、照明器具２００の点灯または消灯に関しては、操作者は、１つのオン・オフスイッチ１１１を押す毎に、押したオン・オフスイッチ１１１に対応する照明器具２００を点灯または消灯させることができる。照明器具２００は、操作者からのオン・オフスイッチ１１１への操作入力に応じてリレー端末器３１０によりオンオフされる。
【００３８】
このとき、照明器具２００が点灯状態になるとオン・オフスイッチ１１１に対応するオン表示ＬＥＤ１１２が点灯し、また、照明器具２００が消灯状態になるとオン・オフスイッチ１１１に対応するオフ表示ＬＥＤ１１３が点灯する。
【００３９】
操作者は、照明器具２００の調光レベルを変えたいときには、まず、図４(b) に示すように、調光オン・オフスイッチ１２１、すなわち制御モード切換スイッチ１１４を押すことによって、調光レベル設定モード、すなわち調光レベルを設定する操作モードを選択する。制御部１３０は、切り換え操作スイッチ１１４が押されたことを検知して（図６のステップ５００）、ステップ５００で切り換え操作スイッチ１１４が押される直前に調光レベル設定モードであれば（図６のステップ５１０）、調光レベル設定モードを終了してオン・オフ制御モードに移り（図６のステップ５２０）、ステップ５００で切り換え操作スイッチ１１４が押される直前にオン・オフ制御モードであれば（図６のステップ５１０）、オン・オフ制御モードから調光レベル設定モードに移り、所定時間Ｔのタイムカウントを開始する（図６のステップ５３０）。
【００４０】
続いて、操作者は、図４(c) に示すように、調光レベルを変えたい照明器具２００を、その照明器具２００に対応するオン・オフスイッチ１１１を押して選択する（図６のステップ５４０）。すると、制御部１３０は、オフ表示ＬＥＤ１１３のうち、押されたオン・オフスイッチ１１１に対応するオフ表示ＬＥＤ１１３だけを点灯させる。これにより照明器具２００が選択されたことが表される。また、制御部１３０は、上記ステップ５４０で選択した照明器具２００が設定されている調光レベルを、図３(a) に示すような、メモリ１６０のデータ変換テーブルＡを参照し、各照明器具２００の調光レベルデータと、オン表示ＬＥＤ１１２の点灯個数との対応付けとを読み取って、オン表示ＬＥＤ１１２の点灯個数によって表す。すなわち、照明器具２００に設定可能な調光レベルは、オン表示ＬＥＤ１１２の個数と同じだけの４段階が設定可能であり、例えば調光レベルが第１段階から第４段階になるにつれて、照明器具２００が明るくなるように調光レベルの設定がなされる。なお、図４(c) では、オン表示ＬＥＤ１１２は全て点灯しており、照明器具２００に設定されている調光レベルは、照明器具２００が最も明るい第４段階の調光レベルである例として示している（図６のステップ５５０）。
【００４１】
次に、操作者は、上記ステップ５４０で選択した照明器具２００の調光レベルを、所望の調光レベルに対応するオン・オフスイッチ１１１を押して設定する（図６のステップ５６０）。すると、制御部１３０は、押されたオン・オフスイッチ１１１に対応する調光レベルおよびオン表示ＬＥＤ１１２の点滅個数を、図３(b) に示すような、メモリ１６０のデータ変換テーブルＢを参照して、以下のように設定する。例えば、図５(a) に示すように、照明器具２００の調光レベルを、第２段階に設定したいとすると、操作者は第２段階の調光レベルに対応するオン・オフスイッチ１１１を押せばよい（図７のステップ５６１）。すると、制御部１３０は、第２段階の調光レベルに対応するオン表示ＬＥＤ１１２の点灯状態が点灯と消灯のどちらであるか判断する（図７のステップ５６２）。制御部１３０は、オン表示ＬＥＤ１１２が点灯していれば、そのオン表示ＬＥＤ１１２よりも明るい調光レベルを意味するオン表示ＬＥＤ１１２の点灯状態が点灯と消灯のどちらであるか判断する（図７のステップ５６３）。ステップ５６３にて点灯状態であれば、制御部１３０は、第２段階の調光レベルよりも明るい調光レベルを意味するオン表示ＬＥＤ１１２を消灯する（図７のステップ５６４）。また、上記ステップ５６２にて、第２段階の調光レベルに対応するオン表示ＬＥＤ１１２が消灯していれば、制御部１３０は、第１段階から第２段階までの調光レベルに対応するオン表示ＬＥＤ１１２を点灯する（図７のステップ５６５）。
【００４２】
このようにして、オン表示ＬＥＤ１１２は、第１段階の調光レベルに対応するものと、第２段階の調光レベルに対応するものとが点灯する。つまり、オン表示ＬＥＤ１１２は、図５(a) において、選択されたオン・オフスイッチ１１１に対応するオン表示ＬＥＤ１１２が、第２段階の調光レベルに対応するものであり、第２段階の調光レベルよりも低い調光レベルを表す全てのオン表示ＬＥＤ１１２が点灯し、第２段階の調光レベルよりも高い調光レベルを表す全てのオン表示ＬＥＤ１１２が消灯することによって、上記ステップ５４０で選択した照明器具２００が第２段階の調光レベルに設定されたことを表すことになる。
【００４３】
上記ステップ５６３でオン表示ＬＥＤ１１２が消灯状態である場合か、上記ステップ５６４を終了するか、上記ステップ５６５を終了すると、制御部１３０は、オン表示ＬＥＤ１１２の点滅個数による調光レベルの表示を完了したことになる。次に、制御部１３０は、通信インターフェース部１４０を介して調光端末器３２０を制御することによって、照明器具２００を、上述のように選択された第２段階の調光レベルで点灯（調光）させる（図７のステップ５６６）。
【００４４】
なお、上記ステップ５４０においてオン・オフスイッチ１１１を押されるまでに、上記ステップ５３０にてタイムカウントを開始した所定時間Ｔが経過すると、制御部１３０は、操作者における調光レベル設定作業は行わない、と判断して、調光レベル設定モードを終了してオン・オフ制御モードに移る。
【００４５】
最後に、図５(a) に示すように、操作者は、制御モード切換スイッチ１１４を押して、調光レベル設定モードを終了してオン・オフ制御モードに移る。すると、照明器具２００は、調光レベル設定モードで再度調光レベルを設定しない限り、オン・オフスイッチ１１１を押されて点灯するときは、必ず第２段階の調光レベルで点灯する。
【００４６】
従って、調光レベル設定スイッチをオン・オフスイッチ１１１と兼用し、オン・オフ制御モードから調光設定モードへの切り換え、および調光設定モードからオン・オフ制御モードへの切り換えを行うための制御モード切換スイッチ１１４と、照明器具２００の調光レベルをオン・オフスイッチ１１１と対応付けて記憶しておくためのメモリ１６０とを設け、制御部１３０は、オン・オフ制御モードの場合に制御モード切換スイッチ１１４への入力を検知すると、オン・オフスイッチ１１１を調光レベル設定スイッチとして設定し、調光設定モードの場合に制御モード切換スイッチ１１４への入力を検知すると、調光レベル設定スイッチをオン・オフスイッチ１１１として設定するものであるようにしたため、操作者が照明制御操作装置１００を操作するための操作用スイッチやＬＥＤなどの状態表示用の部品点数が削減できる。すなわち、上述の従来の照明制御操作装置の説明における（式１）で示した部品点数から、上述の（式２）で示した部品点数を差し引くと、次の（式３）で示すようになる。
【００４７】
0003845984.tif 000002
ここで、ｎは照明器具２００の台数を表しているので１以上の自然数であり、ｍは照明器具２００の調光設定レベルの数であるから少なくとも２以上の自然数である。このため、上の（式３）で示した値は、ｎ＝１かつｍ＝２としても、次の（式４）で示すように４以上の値をとる。
【００４８】
（式３）より
１・（３＋２）−１＝４＞０・・・・（式４）
つまり、上述の従来の照明制御操作装置の説明における（式１）で示した部品点数よりも、上述の本実施例における（式２）で示した部品点数のほうが、少ないことになり、従って、操作者が照明制御操作装置１００を操作するための操作用スイッチやＬＥＤなどの状態表示用の部品点数が削減できるといえる。また、従来の照明制御操作装置に比べて、本実施例においてはメモリ１６０を１点余計に加えたが、上の（式４）に示すように、本実施例においては４点も少なくできているので、仮にメモリ１６０の部品点数を（式４）の計算結果から差し引いたとしても、やはり上述の従来の照明制御操作装置の説明における（式１）で示した部品点数よりも、上述の本実施例における（式２）で示した部品点数のほうが、少なくできて、部品点数はやはり削減されることになる。
【００４９】
また、部品点数が削減されるため、照明制御操作装置１００を小型化しやすい。また、部品点数が削減できるため、照明器具２００の台数が増えても、部品点数の増加を抑えることができ、照明制御操作装置１００を小型化しやすい。さらに、照明制御操作装置１００の小型化が行いやすいため、小型化された照明制御操作装置１００を取り付け面へ取り付ける作業も行いやすくなり、また、取り付け場所が狭くて取り付け面積が小さくても対応がしやすい。
【００５０】
また、制御部１３０は、オン・オフ制御モードの場合に制御モード切換スイッチ１１４への入力を検知すると、調光設定モードに移ってタイムカウントを開始し、このタイムカウントが所定時間Ｔを経過するまでに、調光レベル設定スイッチとして扱われるオン・オフスイッチ１１１への入力を検知しなければ、調光設定モードからオン・オフ制御モードに復帰するものであるようにしたため、操作者が調光設定モードからオン・オフ制御モードへ戻し忘れても、調光設定モードを終了することができる。
【００５１】
［第２の実施の形態］
図８は照明制御操作装置を示すブロック図である。図９および図１０は、照明制御操作装置を用いて行われる照明器具のオン・オフ制御および調光レベル設定の手順を示す模式図で、図９(a) は照明器具のオン・オフ制御を、図９(b) は照明器具の調光レベル設定開始を、図９(c) は照明器具の選択を、図１０(a) は選択した照明器具の調光レベル制御の設定を、図１０(b) は調光レベルの設定の終了をそれぞれ示している。図１１および図１２は、制御部の動作フローの一例を示す説明図である。なお、前述の第１の実施の形態と同一の箇所には同じ符号を付し、同一の箇所の詳細な説明は省略する。
【００５２】
この第２の実施の形態の照明制御操作装置が前述の第１の実施の照明制御操作装置と異なり特徴となる構成は、制御モード切換スイッチ１１４を、オン・オフモードボタン１１４ａと、調光設定モードボタン１１４ｂおよび調光設定モード表示ＬＥＤ１１４ｃとを備えて構成した点である。
【００５３】
オン・オフモードボタン１１４ａは、調光設定モードからオン・オフ制御モードへの切り換えをしたいときに押すボタンである。調光設定モードボタン１１４ｂは、オン・オフ制御モードから調光設定モードへの切り換えをしたいときに押すボタンである。調光設定モード表示ＬＥＤ１１４ｃは、調光設定モードボタン１１４ｂが押されて調光設定モードになると点灯し、オン・オフモードボタン１１４ａが押されてオン・オフ制御モードになると消灯する。
【００５４】
このようなスイッチユニット１５０における、操作者が照明制御操作装置１００を操作するための部品点数は、前述の第１の実施の形態における照明制御操作装置に比して、１つの制御モード切換スイッチ１１４が、オン・オフモードボタン１１４ａと、調光設定モードボタン１１４ｂおよび調光設定モード表示ＬＥＤとの計３点に変わったため、次の（式５）で表される個数だけ、必要になる。
【００５５】
３ｎ＋１−１＋３＝３ｎ＋３（個）・・・・（式５）
このような照明制御操作装置１００を用いて行われる照明器具２００のオン・オフ制御および調光レベル設定の手順を、図９乃至図１２を用いて以下に説明する。図９または図１０に示すように、照明器具２００は、計４台であるとする。
【００５６】
スイッチユニット１５０には、オン・オフスイッチ１１１が照明器具２００の台数と同じく４つ用意されており、各オン・オフスイッチ１１１に対応して１つのオン表示ＬＥＤ１１２および１つのオフ表示ＬＥＤ１１３とが備えられている。また、スイッチユニット１５０には、オン・オフモードボタン１１４ａと、調光設定モードボタン１１４ｂおよび調光設定モード表示ＬＥＤ１１４ｃとが備えられている。
【００５７】
操作者は、照明器具２００の調光レベルを変えたいときには、まず、図９(b) に示すように、調光設定モードボタン１１４ｂを押すことによって、調光レベル設定モード、すなわち調光レベルを設定する操作モードを選択する。
【００５８】
制御部１３０は、オン・オフモードボタン１１４ａが押されたことを検知すると（図１１のステップ６００）、ステップ６００で調光設定モードボタン１１４ｂが押される直前に調光レベル設定モードであれば、調光設定モードからオン・オフ制御モードへの切り換えを行う。また、制御部１３０は、ステップ６００で調光設定モードボタン１１４ｂが押される直前にオン・オフ制御モードであれば、オン・オフ制御モードのままである（図１１のステップ６１０）。制御部１３０は、上記ステップ６００にて、オン・オフモードボタン１１４ａが押されずに調光設定モードボタン１１４ｂが押されると（図１１のステップ６３０）、調光レベル設定モードに移り、調光設定モード表示ＬＥＤ１１４ｃを点灯させる（図１１のステップ６４０）。
【００５９】
続いて、操作者は、図９(c) に示すように、調光レベルを変えたい照明器具２００を、その照明器具２００に対応するオン・オフスイッチ１１１を押して選択する（図１１のステップ６５０）。すると、制御部１３０は、オフ表示ＬＥＤ１１３のうち、押されたオン・オフスイッチ１１１に対応するオフ表示ＬＥＤ１１３だけを点灯させる。これにより照明器具２００が選択されたことが表される。ここで、照明器具２００に設定可能な調光レベルは、オン表示ＬＥＤ１１２の個数と同じだけの例えば４段階が設定可能であり、例えば調光レベルが第１段階から第４段階になるにつれて、照明器具２００が明るくなるように調光レベルの設定がなされる。なお、図９(c) では、オン表示ＬＥＤ１１２は全て点灯しており、照明器具２００に設定されている調光レベルは、照明器具２００が最も明るい第４段階の調光レベルである例として示している（図１１のステップ６６０）。また、制御部１３０は、上記ステップ６５０で選択した照明器具２００が設定されている調光レベルを、メモリ１６０のデータ変換テーブルＡを参照し、各照明器具２００の調光レベルデータと、オン表示ＬＥＤ１１２の点灯個数との対応付けとを読み取って、オン表示ＬＥＤ１１２の点灯個数によって表す。
【００６０】
次に、操作者は、上記ステップ６５０で選択した照明器具２００の調光レベルを、所望の調光レベルに対応するオン・オフスイッチ１１１を押して設定する（図６のステップ６７０）。すると、制御部１３０は、押されたオン・オフスイッチ１１１に対応する調光レベルおよびオン表示ＬＥＤ１１２の点滅個数を、メモリ１６０のデータ変換テーブルＢを参照して、以下のように設定する。例えば、図１０(a) に示すように、照明器具２００の調光レベルを、第２段階に設定したいとすると、操作者は第２段階の調光レベルに対応するオン・オフスイッチ１１１を押せばよい（図１２のステップ６７１）。すると、制御部１３０は、第２段階の調光レベルに対応するオン表示ＬＥＤ１１２の点灯状態が点灯と消灯のどちらであるか判断する（図１２のステップ６７２）。制御部１３０は、オン表示ＬＥＤ１１２が点灯していれば、そのオン表示ＬＥＤ１１２よりも明るい調光レベルを意味するオン表示ＬＥＤ１１２の点灯状態が点灯と消灯のどちらであるか判断する（図１２のステップ６７３）。ステップ６７３にて点灯状態であれば、制御部１３０は、第２段階の調光レベルよりも明るい調光レベルを意味するオン表示ＬＥＤ１１２を消灯する（図１２のステップ６７４）。また、上記ステップ６７２にて、第２段階の調光レベルに対応するオン表示ＬＥＤ１１２が消灯していれば、制御部１３０は、第１段階から第２段階までの調光レベルに対応するオン表示ＬＥＤ１１２を点灯する（図１２のステップ６７５）。
【００６１】
このようにして、オン表示ＬＥＤ１１２は、第１段階の調光レベルに対応するものと、第２段階の調光レベルに対応するものとが点灯する。つまり、オン表示ＬＥＤ１１２は、図１０(a) において、選択されたオン・オフスイッチ１１１に対応するオン表示ＬＥＤ１１２が、第２段階の調光レベルに対応するものであり、第２段階の調光レベルよりも低い調光レベルを表す全てのオン表示ＬＥＤ１１２が点灯し、第２段階の調光レベルよりも高い調光レベルを表す全てのオン表示ＬＥＤ１１２が消灯することによって、上記ステップ６５０で選択した照明器具２００が第２段階の調光レベルに設定されたことを表すことになる。
【００６２】
上記ステップ６７３でオン表示ＬＥＤ１１２が消灯状態である場合か、上記ステップ６７４を終了するか、上記ステップ６７５を終了すると、制御部１３０は、オン表示ＬＥＤ１１２の点滅個数による調光レベルの表示を完了したことになる。次に、制御部１３０は、通信インターフェース部１４０を介して調光端末器３２０を制御することによって、照明器具２００を、上述のように選択された第２段階の調光レベルで点灯（調光）させる（図１２のステップ６７６）。
最後に、図１０(b) に示すように、操作者は、オン・オフモードボタン１１４ａを押して、調光レベル設定モードを終了してオン・オフ制御モードに移る。すると、制御部１３０は、調光設定モード表示ＬＥＤ１１４ｃを消灯して、調光設定モードが終了した旨を表示する。照明器具２００は、調光レベル設定モードで再度調光レベルを設定しない限り、オン・オフスイッチ１１１を押されて点灯するときは、必ず第２段階の調光レベルで点灯する。
【００６３】
従って、調光レベル設定スイッチをオン・オフスイッチ１１１と兼用し、オン・オフ制御モードから調光設定モードへの切り換え、および調光設定モードからオン・オフ制御モードへの切り換えを行うための制御モード切換スイッチ１１４と、照明器具２００の調光レベルをオン・オフスイッチ１１１と対応付けて記憶しておくためのメモリ１６０とを設け、制御部１３０は、オン・オフ制御モードの場合に制御モード切換スイッチ１１４への入力を検知すると、オン・オフスイッチ１１１を調光レベル設定スイッチとして設定し、調光設定モードの場合に制御モード切換スイッチ１１４への入力を検知すると、調光レベル設定スイッチをオン・オフスイッチ１１１として設定するものであるようにしたため、操作者が照明制御操作装置１００を操作するための操作用スイッチやＬＥＤなどの状態表示用の部品点数が削減できる。すなわち、上述の従来の照明制御操作装置の説明における（式１）で示した部品点数から、上述の（式５）で示した部品点数を差し引くと、次の（式６）で示すようになる。
【００６４】
0003845984.tif 000003
ここで、ｎは照明器具２００の台数を表しているので１以上の自然数であり、ｍは照明器具２００の調光設定レベルの数であるから少なくとも２以上の自然数である。このため、上の（式６）で示した値は、ｎ＝１かつｍ＝２としても、次の（式４）で示すように２以上の値をとる。
【００６５】
（式３）より
１（３＋２）−３＝２＞０・・・・（式７）
つまり、上述の従来の照明制御操作装置の説明における（式１）で示した部品点数よりも、上述の本実施例における（式６）で示した部品点数のほうが、少ないことになり、従って、操作者が照明制御操作装置１００を操作するための操作用スイッチやＬＥＤなどの状態表示用の部品点数が削減できるといえる。また、従来の照明制御操作装置に比べて、本実施例においてはメモリ１６０を１点余計に加えたが、上の（式７）に示すように、本実施例においては２点も少なくできているので、仮にメモリ１６０の部品点数を（式４）の計算結果から差し引いたとしても、やはり上述の従来の照明制御操作装置の説明における（式１）で示した部品点数よりも、上述の本実施例における（式２）で示した部品点数のほうが、少なくできて、部品点数はやはり削減されることになる。
【００６６】
すなわち、前述の第１の実施の形態に比して、制御モード切換スイッチ１１４を、オン・オフモードボタン１１４ａと、調光設定モードボタン１１４ｂおよび調光設定モード表示ＬＥＤ１１４ｃとを備えて構成する程度の部品増加ならば、第１の実施例と比較して、操作者が照明制御操作装置１００を操作するための部品点数が、オン・オフモードボタン１１４ａおよび調光設定モード表示ＬＥＤの２点だけ増えるが、部品点数はやはり削減される上に、オン・オフ制御モードと調光設定モードとのそれぞれを選択するスイッチが与えられて操作がしやすくなり、しかも調光設定モード表示ＬＥＤ１１４ｃによりオン・オフ制御モードと調光設定モードとの見分けが付きやすい。
【００６７】
また、部品点数が削減されるため、照明制御操作装置１００を小型化しやすい。また、部品点数が削減できるため、照明器具２００の台数が増えても、部品点数の増加を抑えることができ、照明制御操作装置１００を小型化しやすい。さらに、照明制御操作装置１００の小型化が行いやすいため、小型化された照明制御操作装置１００を取り付け面へ取り付ける作業も行いやすくなり、また、取り付け場所が狭くて取り付け面積が小さくても対応がしやすい。
【００６８】
【発明の効果】
請求項１記載の発明にあっては、照明器具をオン・オフ制御するオン・オフ制御モードから照明器具の調光レベルを設定する調光設定モードへの切り換え、および前記調光設定モードから前記オン・オフ制御モードへの切り換えを行うための制御モード切換スイッチと、前記オン・オフスイッチに対応してそれぞれ別個に設けられたオン表示部及びオフ表示部と、照明器具の調光レベルを前記オン表示部または前記オフ表示部の点灯パターンと対応づけた第１のデータ変換テーブルと照明器具の調光レベルを前記オン・オフスイッチと対応付けた第２のデータ変換テーブルを記憶しておくためのメモリとを設け、前記制御部は、オン・オフ制御モードの場合に前記オン・オフスイッチへの入力を検知すると、当該オン・オフスイッチに対応する照明器具をオン・オフ制御するための前記オン・オフ信号を出力するとともに当該照明器具の点灯状態に応じて前記オン表示部及びオフ表示部を点灯させ、調光設定モードの場合に前記オン・オフスイッチへの入力を検知すると、当該オン・オフスイッチに対応する前記オン表示部または前記オフ表示部の一方を点灯させるとともに前記オン表示部または前記オフ表示部の他方側を前記第１のデータ変換テーブルにより当該オン・オフスイッチに対応する照明器具の調光レベルと対応づけられた点灯パターンで点灯させて調光対象の照明器具を選択し、調光対象の照明器具が選択された状態で前記オン・オフスイッチへの入力を検知すると、選択された照明器具を前記第２のデータ変換テーブルにより当該オン・オフスイッチと対応づけられた調光レベルに設定するための調光信号を出力するようにしたため、操作者が照明制御操作装置を操作するための操作用スイッチやＬＥＤなどの状態表示用の部品点数が削減できる。また、部品点数が削減されるため、照明制御操作装置を小型化しやすい。また、部品点数が削減できるため、照明器具の台数が増えても、部品点数の増加を抑えることができ、照明制御操作装置を小型化しやすい。さらに、照明制御操作装置の小型化が行いやすいため、小型化された照明制御操作装置を取り付け面へ取り付ける作業も行いやすくなり、また、取り付け場所が狭くて取り付け面積が小さくても対応がしやすい。
【００６９】
請求項２記載の発明にあっては、請求項１記載の発明の効果に加えて、制御部は、オン・オフ制御モードの場合に制御モード切換スイッチへの入力を検知すると、調光設定モードに移ってタイムカウントを開始し、このタイムカウントが所定時間を経過するまでに、調光レベル設定スイッチとして扱われるオン・オフスイッチへの入力を検知しなければ、調光設定モードからオン・オフ制御モードに復帰するものであるようにしたため、操作者が調光設定モードからオン・オフ制御モードへ戻し忘れても、調光設定モードを終了することができる。
【図面の簡単な説明】
【図１】本発明に係る第１の実施の形態の照明制御操作装置を説明するブロック図である。
【図２】同上の照明制御操作装置を使用した照明制御システムを示すブロック図である。
【図３】照明制御操作装置のメモリにおける各種データ変換テーブルを示す説明図である。
【図４】同上の照明制御操作装置を用いて行われる照明器具のオン・オフ制御および調光レベル設定の手順を示す模式図である。
【図５】同上の照明制御操作装置を用いて行われる照明器具のオン・オフ制御および調光レベル設定の手順を示す模式図である。
【図６】同上の制御部の動作フローの一例を示す説明図である。
【図７】同上の制御部の動作フローの一例を示す説明図である。
【図８】本発明に係る第２の実施の形態の照明制御操作装置を示すブロック図である。
【図９】同上の照明制御操作装置を用いて行われる照明器具のオン・オフ制御および調光レベル設定の手順を示す模式図である。
【図１０】同上の照明制御操作装置を用いて行われる照明器具のオン・オフ制御および調光レベル設定の手順を示す模式図である。
【図１１】同上の制御部の動作フローの一例を示す説明図である。
【図１２】同上の制御部の動作フローの一例を示す説明図である。
【図１３】従来の照明制御操作装置を示すブロック図である。
【図１４】従来の照明制御操作装置を使用した照明制御システムを示すブロック図である。
【図１５】従来の照明制御操作装置を用いて行われる照明器具のオン・オフ制御および調光レベル設定の手順を示す模式図である。
【符号の説明】
１１１  オン・オフスイッチ
１１４  制御モード切換スイッチ
１２４、１２５  調光レベル設定スイッチ
１３０  制御部
１６０  メモリ
２００  照明器具
Ｔ    所定時間
【図１】
0003845984.tif 000004
【図２】
0003845984.tif 000005
【図３】
0003845984.tif 000006
【図４】
0003845984.tif 000007
【図５】
0003845984.tif 000008
【図６】
0003845984.tif 000009
【図７】
0003845984.tif 000010
【図８】
0003845984.tif 000011
【図９】
0003845984.tif 000012
【図１０】
0003845984.tif 000013
【図１１】
0003845984.tif 000014
【図１２】
0003845984.tif 000015
【図１３】
0003845984.tif 000016
【図１４】
0003845984.tif 000017
【図１５】
0003845984.tif 000018